(57)【要約】      （修正有）【課題】紙製品の切断しようとする領域に液体を供給することにより、より少ない力で紙製品を容易に切断することが可能なディスペンサーを提供する。【解決手段】ロールタイプの使い捨て紙製品を供給するディスペンサーにおいて、前記紙製品を回転可能に支持する回転軸１３、および前記紙製品が排出される排出部１５を有し、前記紙製品を収容する本体ケーシング１０と前記排出部１５に設けられ、前記紙製品の切断しようとする領域に液体を供給する湿式カット部２０とを含んでなる、ディスペンサーによって達成される。【選択図】図２
0003177666.tif 000002
【実用新案登録請求の範囲】
【請求項１】
ロールタイプの使い捨て紙製品を供給するディスペンサーにおいて、
前記紙製品を回転可能に支持する回転軸、および前記紙製品が排出される排出部を有し、前記紙製品を収容する本体ケーシングと；
前記排出部に設けられ、前記紙製品の切断しようとする領域に液体を供給する湿式カット部と；を含んでなることを特徴とする、ディスペンサー。
【請求項２】
前記湿式カット部は、
一側に液体排出口を有し、内部にスポンジ収容空間を形成する切断ケーシングと、
前記液体排出口から所定の間隔をおいて板状に延長される一対のガイド部と、を含むことを特徴とする、請求項１に記載のディスペンサー。
【請求項３】
前記湿式カット部は、前記切断ケーシングの前記スポンジ収容空間に収容される第１スポンジと、前記第１スポンジから延長されて前記一対のガイド部の間に収容される第２スポンジと、を有するスポンジ部をさらに含むことを特徴とする、請求項２に記載のディスペンサー。
【請求項４】
前記一対のガイド部のうち少なくとも一つの自由端部領域には、鋸歯状または一字状の切刃が設けられていることを特徴とする、請求項２または３に記載のディスペンサー。
【請求項５】
前記切断ケーシングには、外部から液体を注入する液体注入口が設けられていることを特徴とする、請求項４に記載のディスペンサー。
【請求項６】
ロールタイプの使い捨て紙製品を供給するディスペンサーにおいて、
前記紙製品を回転可能に支持する回転軸、および前記紙製品が排出される排出部を有し、前記紙製品を収容する本体ケーシングと；
前記本体ケーシングの他側に巻き取られているワイヤーを含み、外力によって前記ワイヤーが上下移動するときに前記回転軸を弾性的に回転させて前記紙製品を供給する弾性供給部と；
前記排出部に設けられ、前記紙製品の切断しようとする領域に液体を供給する湿式カット部と；を含んでなることを特徴とする、ディスペンサー。
【請求項７】
前記弾性供給部は、
前記回転軸に結合する駆動軸と、
前記駆動軸に離間して設けられる弾性部材駆動軸と、
前記弾性部材駆動軸の一側に巻き取られ、外力によって下方に引っ張られるワイヤーと、
前記弾性部材駆動軸の他側に巻き取られ、前記ワイヤーが下方に引っ張られると前記ワイヤーが上方に上昇するように前記弾性部材駆動軸に弾性的に回転力を作用させるぜんまいバネと、
前記ぜんまいバネによる前記弾性部材駆動軸の回転力を前記駆動軸へ伝達する伝動ギアと、を含むことを特徴とする、請求項６に記載のディスペンサー。
【請求項８】
前記伝動ギアは、
前記弾性部材駆動軸上に結合された第１伝動ギアと、
前記駆動軸上に結合された第２伝動ギアと、
前記第１伝動ギアと前記第２伝動ギアとの間に設けられ、回転力を伝達する第３伝動ギアと、を含むことを特徴とする、請求項７に記載のディスペンサー。
【請求項９】
前記伝動ギアは、
前記ワイヤーが下方に下降するときにのみ前記弾性部材駆動軸の回転力を前記駆動軸へ伝達させるクラッチギアをさらに含むことを特徴とする、請求項８に記載のディスペンサー。
【請求項１０】
前記本体ケーシングは、
前記排出部側に設けられ、前記回転軸の回転によって供給される紙製品を収容する製品収容部をさらに含むことを特徴とする、請求項６〜９のいずれか１項に記載のディスペンサー。
【請求項１１】
前記本体ケーシングは、
前記排出部の内側に設けられ、前記回転軸の回転によって供給される紙製品を案内する排出ガイドをさらに含むことを特徴とする、請求項６に記載のディスペンサー。
【請求項１２】
ロールタイプの使い捨て紙製品を供給するディスペンサーにおいて、
前記紙製品を回転可能に支持する回転軸、および前記紙製品が排出される排出部を有し、前記紙製品を収容する本体ケーシングと；
前記本体ケーシングの他側に巻き取られているワイヤーを含み、外力によって前記ワイヤーが上下移動するときに前記回転軸を弾性的に回転させて前記紙製品を供給する弾性供給部と；
前記排出部に設けられ、前記紙製品の切断しようとする領域に液体を供給する湿式カット部と；
前記本体ケーシングに取り付けられ、文字または模様または広告が表示される標識パネル、前記標識パネルの前面に取り付けられ、光を通過および反射させる液晶パネル、前記液晶パネルの前面に貼り付けられる偏光フィルム、および前記液晶パネルに電源を供給するための電源供給部から構成される表示装置と；を含んでなることを特徴とする、ディスペンサー。
【請求項１３】
前記本体ケーシングは、
前記排出部側に設けられ、前記回転軸の回転によって供給される紙製品を収容する製品収容部をさらに含むことを特徴とする、請求項１２に記載のディスペンサー。
【請求項１４】
前記電源供給部は、自然光または照明装置から放出される光エネルギーを電気エネルギーに変換させる太陽電池であることを特徴とする、請求項１２に記載のディスペンサー。
【請求項１５】
ロールタイプの使い捨て紙製品を供給するディスペンサーにおいて、 
前記紙製品を回転可能に支持する回転軸、および前記紙製品が排出される排出部を有し、前記紙製品を収容する本体ケーシングと；
前記本体ケーシングの他側に巻き取られているワイヤーを含み、外力によって前記ワイヤーが上下移動するときに前記回転軸を弾性的に回転させて前記紙製品を供給する弾性供給部と；
前記排出部に設けられ、前記紙製品の切断しようとする領域に液体を供給する湿式カット部と；
前記本体ケーシングに取り付けられる透明メモ板、前記透明メモ板の一端部に固着され、前記透明メモ板へ光を発する照明装置部、前記照明装置部に電源を供給するための電源供給部、および前記電源供給部から印加される電流の流れを制御する電源供給スイッチを備えるメモボードと；を含んでなることを特徴とする、ディスペンサー。
【考案の詳細な説明】
【技術分野】
【０００１】
本考案は、トイレットペーパーまたはハンドタオルなどのロールタイプの使い捨て紙製品を供給するディスペンサーに係り、具体的には、紙製品をより少ない力で容易にカットできるように構造を改善したディスペンサーに関する。
【背景技術】
【０００２】
一般に、トイレットペーパー又はハンドタオルなどのロールタイプの使い捨て紙製品などを供給するディスペンサーが広く使われている。
【０００３】
図１は、従来のディスペンサーを示す正断面図である。図１に示すように、従来のディスペンサー１は、トイレットペーパー３の中空部３ａに挿入されてトイレットペーパー３を回転可能に支持する回転軸１３、およびトイレットペーパー３が排出される排出部１５を有し、その内部空間にトイレットペーパー３を収容する本体ケーシング１０を含んでなる。
【０００４】
ここで、本体ケーシング１０の排出部１５には、トイレットペーパー３のカットのための切刃１４が設けられている。
【０００５】
ところが、この種の従来のディスペンサー１は、使用者がトイレットペーパー３をカットしようとする場合、トイレットペーパー３が切刃１４に対して滑って切断作業が容易でないことが頻繁に発生した。
【考案の概要】
【考案が解決しようとする課題】
【０００６】
本考案の目的は、紙製品の切断しようとする領域に液体を供給することにより、より少ない力で紙製品を容易に切断することが可能なディスペンサーを提供することにある。
【課題を解決するための手段】
【０００７】
上記目的は、ロールタイプの使い捨て紙製品を供給するディスペンサーにおいて、前記紙製品を回転可能に支持する回転軸、および前記紙製品が排出される排出部を有し、前記紙製品を収容する本体ケーシングと；前記排出部に設けられ、前記紙製品の切断しようとする領域に液体を供給する湿式カット部と；を含んでなる、ディスペンサーによって達成される。
【０００８】
前記湿式カット部は、一側に液体排出口を有し、内部にスポンジ収容空間を形成する切断ケーシングと、前記液体排出口から所定の間隔をおいて板状に延長される一対のガイド部と、を含むことができる。
【０００９】
前記湿式カット部は、前記切断ケーシングのスポンジ収容空間に収容される第１スポンジと、前記第１スポンジから延長されて前記一対のガイド部の間に収容される第２スポンジと、を有するスポンジ部をさらに含むことが好ましい。
【００１０】
前記切断ケーシングは、前記スポンジ収容空間を開閉するようにお互い着脱可能に設けられる前記第１切断ケーシングおよび第２切断ケーシングを含むことが特徴である。
【００１１】
第１切断ケーシングおよび第２切断ケーシングは、ヒンジ結合又はスクリュー結合されてもよい。
【００１２】
前記湿式カット部は、第１切断ケーシングおよび第２切断ケーシングの結合領域をシールするシール部材をさらに含んでもよい。
【００１３】
前記一対のガイド部のうち少なくとも一つの自由端部領域には、鋸歯状の切刃が設けられていることが好ましい。
【００１４】
前記切断ケーシングには、外部から液体を注入する第１液体注入口が設けられてもよい。
【００１５】
前記本体ケーシングには、前記第１液体注入口に対応する領域に第２液体注入口が設けられてもよい。
【００１６】
前記本体ケーシングに対して、前記湿式カット部は、着脱可能に設けられることが好ましい。
【００１７】
また、上記目的は、ロールタイプの使い捨て紙製品を供給するディスペンサーにおいて、前記紙製品を回転可能に支持する回転軸、および前記紙製品が排出される排出部を有し、前記紙製品を収容する本体ケーシングと；前記本体ケーシングの他側に巻き取られているワイヤーを有し、外力によって前記ワイヤーが上下移動するときに前記回転軸を弾性的に回転させて前記紙製品を供給する弾性供給部と；前記排出部に設けられ、前記紙製品の切断しようとする領域に液体を供給する湿式カット部と；を含んでなる、ディスペンサーによって達成される。
【００１８】
前記弾性供給部は、前記回転軸に結合される駆動軸と、前記駆動軸に離間して設けられる弾性部材駆動軸と、前記弾性部材駆動軸の一側に巻き取られ、外力によって下方に引っ張られるワイヤーと、前記弾性部材駆動軸の他側に巻き取られ、前記ワイヤーが下方に引っ張られると前記ワイヤーが上方に上昇するように前記弾性部材駆動軸に弾性的に回転力を作用させるぜんまいバネと、前記ぜんまいバネによる前記弾性部材駆動軸の回転力を前記駆動軸へ伝達する伝動ギアと、を含んでもよい。
【００１９】
前記伝動ギアは、前記弾性部材駆動軸上に結合された第１伝動ギアと、前記駆動軸上に結合された第２伝動ギアと、前記第１伝動ギアと前記第２伝動ギアとの間に設けられ、回転力を伝達する第３伝動ギアと、を含んでもよい。
【００２０】
前記伝動ギアは、前記ワイヤーが下方に下降するときにのみ前記弾性部材駆動軸の回転力を前記駆動軸へ伝達させるクラッチギアをさらに含んでもよい。
【００２１】
前記本体ケーシングは、前記排出部側に設けられ、前記駆動軸の回転によって供給される紙製品を収容する製品収容部をさらに含んでもよい。
【００２２】
前記本体ケーシングは、前記排出部の内側に設けられ、前記駆動軸の回転によって供給される紙製品を案内する排出ガイドをさらに含んでもよい。
【００２３】
また、上記目的は、ロールタイプの使い捨て紙製品を供給するディスペンサーにおいて、前記紙製品を回転可能に支持する回転軸、および前記紙製品が排出される排出部を有し、前記紙製品を収容する本体ケーシングと；前記本体ケーシングの他側に巻き取られているワイヤーを有し、外力によって前記ワイヤーが上下移動するときに前記回転軸を弾性的に回転させて前記紙製品を供給する弾性供給部と；前記排出部に設けられ、前記紙製品の切断しようとする領域に液体を供給する湿式カット部と；前記本体ケーシングに取り付けられ、文字、紋様または広告が表示される標識パネル、前記標識パネルの前面に取り付けられ、光を通過および反射させる液晶パネル、前記液晶パネルの前面に貼り付けられる偏光フィルム、および前記液晶パネルに電源を供給するための電源供給部から構成される表示装置と；を含んでなることを特徴とする、ディスペンサーによって達成される。
【００２４】
前記本体ケーシングは、前記排出部側に設けられ、前記駆動軸の回転によって供給される紙製品を収容する製品収容部をさらに含んでもよい。
【００２５】
前記電源供給部は、自然光または照明装置から放出される光エネルギーを電気エネルギーに変換させる太陽電池であってもよい。
【００２６】
また、上記目的は、ロールタイプの使い捨て紙製品を供給するディスペンサーにおいて、 前記紙製品を回転可能に支持する回転軸、および前記紙製品が排出される排出部を有し、前記紙製品を収容する本体ケーシングと；前記本体ケーシングの他側に巻き取られているワイヤーを有し、外力によって前記ワイヤーが上下移動するときに前記回転軸を弾性的に回転させて前記紙製品を供給する弾性供給部と；前記排出部に設けられ、前記紙製品の切断しようとする領域に液体を供給する湿式カット部と；前記本体ケーシングに取り付けられる透明メモ板、前記透明メモ板の一端部に固着され、前記透明メモ板へ光を発する照明装置部、前記照明装置部に電源を供給するための電源供給部、および前記電源供給部から印加される電流の流れを制御する電源供給スイッチを備えるメモボードと；を含んでなる、ディスペンサーによって達成される。
【考案の効果】
【００２７】
本考案によれば、紙製品の切断しようとする領域に液体を供給することにより、より少ない力で紙製品を容易に切断することが可能なディスペンサーを提供することができる。
【００２８】
また、本考案によれば、スポンジ部にアロマオイルを含ませることにより、別途の香水または芳香剤を備えることなく室内または紙製品に香りを供給することができる。
【００２９】
また、本考案によれば、使用者が所望の長さだけワイヤーを引っ張ると、弾性部材の弾性力によって回転軸が回転して紙製品が排出部を介して供給されるので、使用者の利便性を向上させることができる。
【００３０】
また、本考案によれば、ディスペンサーの前面に表示装置を備え、使用者に宣伝文句またはデザインを認識させて広告効果を高めることができる。
【図面の簡単な説明】
【００３１】
【図１】従来のディスペンサーの構造を示す正断面図である。
【図２】本考案の第１実施例に係るディスペンサーの構造を示す分解斜視図である。
【図３】本考案の第１実施例に係るディスペンサーの湿式カット部の構造を示す分解斜視図である。
【図４】図３における切断ケーシングの切刃の形状を変更した他の実施例を示す図である。
【図５】本考案の第１実施例に係るディスペンサーの湿式カット部の構造を示す断面図である。
【図６】図５における第２スポンジ部の長さを変更した他の実施例を示す図である。
【図７】本考案の第１実施例に係るディスペンサーの作動過程を示す作動状態断面図である。
【図８】本考案の第１実施例に係るディスペンサーの作動過程を示す作動状態断面図である。
【図９】本考案の第２実施例に係るディスペンサーの正面構成を示す正面図である。
【図１０】本考案の第２実施例に係るディスペンサーの構成を分解して示す分解斜視図である。
【図１１】本考案の第２実施例に係るディスペンサーの弾性供給部の構成を分解して示す分解斜視図である。
【図１２】本考案の第２実施例に係るディスペンサーの断面構成を示す断面図である。
【図１３】本考案の第２実施例に係るディスペンサーの動作を示す概略図である。
【図１４】本考案の第２実施例の変形例に係るディスペンサーの正面構成を示す正面図である。
【図１５】本考案の第２実施例の他の変形例に係るディスペンサーを示す斜視図である。
【図１６】図１５のディスペンサーの一構成要素としての表示装置を示す分解斜視図である。
【図１７】本考案の第２実施例の別の変形例に適用されるメモボードを示す斜視図である。
【図１８】図１７のメモボードの分解斜視図である。
【考案を実施するための形態】
【００３２】
以下に添付図面を参照しながら、本考案を充分に理解するために本考案の好適な実施例について説明する。本考案の実施例は様々な形態に変形でき、本考案の範囲はこれらの実施例に限定されるものと解釈されてはならない。本実施例は、当業界における通常の知識を有する者に本考案をより完全に説明するために提供されるものである。よって、図面における要素の形状などは、より明確な説明を強調するために誇張されて表現できる。各図面における同一の部材は、同一の参照符号で図示した場合があることを留意すべきである。本考案の要旨を無駄に乱すおそれがあると判断される公知の機能および構成についての詳細な記述は、省略する。
【００３３】
説明に先立ち、本考案の好適な実施例として、ロールタイプのトイレットペーパー３を供給するディスペンサー１を説明および図示するが、これに限定されず、本考案はハンドタオルなどのロールタイプの使い捨て紙製品を供給する多様な種類のディスペンサーに適用できることを予め明かしておく。
【００３４】
（第１実施例）
図２は、本考案の第１実施例に係るディスペンサー１の構造を示す分解斜視図である。
【００３５】
図２に示すように、本考案の第１実施例に係るディスペンサー１は、トイレットペーパー３を収容する本体ケーシング１０と、本体ケーシング１０の排出部１５を介して排出されるトイレットペーパー３に液体を供給する湿式カット部２０と、を含んでなる。
【００３６】
本体ケーシング１０は、トイレットペーパー３の中空部３ａに挿入されてトイレットペーパー３を回転可能に支持する回転軸１３、およびトイレットペーパー３が排出される排出部１５を有し、その内部空間にトイレットペーパー３を収容する。
【００３７】
本体ケーシング１０は、前方開口１１を有する筒状の第１本体ケーシング１０ａと、第１本体ケーシング１０ａの前方開口１１を遮断する第２本体ケーシング１０ｂと、を含む。
【００３８】
回転軸１３は第１本体ケーシング１０ａに設けられており、排出部１５は回転軸１３の回転方向に沿って第１本体ケーシング１０ａの下部領域に開口されている。
【００３９】
排出部１５の中央領域には、回転軸１３と平行な軸方向を持つガイド棒１７が取り付けられている。
【００４０】
ガイド棒１７は、本体ケーシング１０と一体に射出成形されてもよく、本体ケーシング１０に回転可能に取り付けられてもよい。
【００４１】
このようなガイド棒１７は、排出部１５を介して排出されるトイレットペーパー３を排出部１５の中央領域へ案内する。
【００４２】
一方、本体ケーシング１０の内部領域には、内部に収容されるトイレットペーパー３が意図せず繰り出されることを防止するようにトイレットペーパー３に張力を与える張力維持部１９が設けられてもよい。張力維持部１９は、本体ケーシング１０の内側上部領域に設けられ、回転軸１３と平行な軸方向を有する張力調節軸１９ａと、張力調節軸１９ａに回転可能に結合され、部分円弧状の断面を有する張力調節カバー１９ｂと、を含んでなる。
【００４３】
張力調節軸１９ａは、使用していない状態のトイレットペーパー３を回転軸に嵌めたとき、トイレットペーパー３の外周縁に比べて外側上部領域に配置される。張力調節軸１９ａは、トイレットペーパー３の幅に対応する長さを有することが好ましい。
【００４４】
張力調節カバー１９ｂは、部分円弧状をし、張力調節軸１９ａを中心として回動可能に結合されている。張力調節カバー１９ｂの曲率は、使用していない状態のトイレットペーパー３の外径曲率に対応することが好ましい。
【００４５】
また、張力調節カバー１９ｂは、トイレットペーパー３が繰り出される方向に設置されることが好ましい。このため、トイレットペーパーを使用する途中でトイレットペーパー３の外径が漸次小さくなっても、張力調節カバー１９ｂが自重によって張力調節軸１９ａを中心に回転しながらトイレットペーパー３を加圧することができる。
【００４６】
このような張力維持部１９の構造は、一般的なトイレットペーパーホルダーの構造を本実施例に係るディスペンサー１に適用したものである。
【００４７】
よって、張力維持部１９の構造には、公知の巻き取りちり紙ホルダーの多様な構造が適用できる。
【００４８】
排出部１５の周囲の第１本体ケーシング１０ａの内面には、湿式カット部２０が装着される装着部７０が設けられている。図３は、本考案の第１実施例に係るディスペンサー１の湿式カット部２０の構造を示す分解斜視図である。図５は、本考案の好適な実施例に係るディスペンサー１の湿式カット部２０の構造を示す断面図である。
【００４９】
図３および図５に示すように、湿式カット部２０は、本体ケーシング１０の排出部１５に設けられ、トイレットペーパー３の切断しようとする領域に液体を供給する。湿式カット部２０は、切断ケーシング３０と一対のガイド部４０とを有する。
【００５０】
切断ケーシング３０は、一側に液体排出口３１を有し、内部にスポンジ収容空間３３を備える。
【００５１】
切断ケーシング３０は、スポンジ収容空間３３を開閉するようにお互い着脱可能に設けられる第１切断ケーシング３０ａおよび第２切断ケーシング３０ｂを含むことができる。
【００５２】
本実施例において、切断ケーシング３０は、大略四角筒状を有するものと図示したが、内部にスポンジ収容空間３３を備える限り、その形状には限定がない。
【００５３】
本実施例において、第１切断ケーシング３０ａと第２切断ケーシング３０ｂとは、図３に示されているようにヒンジ結合される。
【００５４】
ここで、第１切断ケーシング３０ａと第２切断ケーシング３０ｂとの間にはヒンジ部３５が設けられるが、ヒンジ部３５は液体排出口３１に対向する側面に配置される。
【００５５】
本実施例におけるヒンジ部３５は、図５に示すように、ヒンジ軸３５ａおよびヒンジ軸収容部３５ｂを含む。
【００５６】
ここで、ヒンジ軸３５ａは、一般的な棒からなってもよく、スクリューからなってもよい。
【００５７】
一方、本実施例において、第１切断ケーシング３０ａおよび第２切断ケーシング３０ｂは、ヒンジ部３５によって結合されるものと説明および図示したが、これに限定されず、第１切断ケーシング３０ａおよび第２切断ケーシング３０ｂの結合構造には、嵌合構造、係合構造、リベットまたはスクリューなどの締結部材による結合構造などが適用されてもよい。
【００５８】
一方、液体排出口３１は、切断ケーシング３０の一側面に開口されて設けられる。液体排出口３１は、トイレットペーパー３の幅方向による長孔状に設けられ、該長孔の長さはトイレットペーパー３の幅に対応することが好ましい。
【００５９】
ガイド部４０は、液体排出口３１の両側から所定の間隔ｄをおいて延長されて一対が設けられる。
【００６０】
本実施例において、ガイド部４０は、第１切断ケーシング３０ａおよび第２切断ケーシング３０ｂの液体排出口３１からそれぞれ延長され、板面が離間する板状に設けられる。
【００６１】
一対のガイド部４０は、ロック部４５によってお互いにロックおよびロック解除される。
【００６２】
本実施例において、ロック部４５は、第１切断ケーシング３０ａおよび第２切断ケーシング３０ｂの回動によって嵌合されるロック突起４５ａおよびロック突起収容部４５ｂを含む。
【００６３】
ロック突起４５ａとロック突起収容部４５ｂとは、締結力を維持するように嵌合して結合されることが好ましい。
【００６４】
一方、ロック部４５は、スクリュー、リベット、ピンなどの締結部材であってもよい。
【００６５】
本実施例に係るディスペンサー１の湿式カット部２０は、第１切断ケーシング３０ａおよび第２切断ケーシング３０ｂの結合領域をシールするシール部材５０をさらに含んでもよい。
【００６６】
シール部材５０は、第１切断ケーシング３０ａと第２切断ケーシング３０ｂとの間の縁領域に沿って配置される帯状に設けられる。
【００６７】
シール部材５０は、ゴム材質からなることが好ましい。また、シール部材５０は、Ｏリングまたはガスケットからなってもよい。
【００６８】
一方、一対のガイド部４０の間に後述の第２スポンジ６０ｂが配置されるので、シール部材５０は、大略「コ」字状をし、液体排出口３１を除いた第１切断ケーシング３０ａおよび第２切断ケーシング３０ｂの縁領域に沿って設置されることが好ましい。
【００６９】
湿式カット部２０は、切断ケーシング３０のスポンジ収容空間３３に収容される第１スポンジ６０ａと、第１スポンジ６０ａから延長されて一対のガイド部４０の間に収容される第２スポンジ６０ｂと、を有するスポンジ部６０をさらに含んでもよい。
【００７０】
図示の如く、第１スポンジ６０ａは、第２スポンジ６０ｂに比べて大きい体積を持つので、第２スポンジ６０ｂに比べて相対的に多量の液体を含有している。
【００７１】
第２スポンジ６０ｂは、第１スポンジ６０ａから突出して一対のガイド部４０の間に収容される。
【００７２】
第２スポンジ６０ｂは、湿式カット部２０が本体ケーシング１０に設置された状態で、第１スポンジ６０ａに比べて下部に配置される。
【００７３】
ここで、第１スポンジ６０ａの液体が自重によって第２スポンジ６０ｂへ移動する。このため、第２スポンジ６０ｂは、第１スポンジ６０ａに比べて多くの液体含有量を有する。
【００７４】
したがって、スポンジ部６０が完全に乾燥しない限り、第２スポンジ６０ｂは常に液体を含有した状態を維持することができる。
【００７５】
第２スポンジ６０ｂは、ガイド部４０と同一またはそれ以上の長さを有する。
【００７６】
すなわち、第２スポンジ６０ｂは、図５および図６に示すように、第１スポンジ６０ａから突出して後述の切刃４１の端部領域まで延長されるか或いはそれよりさらに延長されて外部に露出する。
【００７７】
このため、トイレットペーパー３が第２スポンジ６０ｂに直接接触して液体の供給を受けることができる。
【００７８】
本実施例において、スポンジ部６０は、一般的に広く知られているスポンジだけでなく、アセテートトウを含む。
【００７９】
本実施例において、スポンジ部６０に供給される液体は、水だけでなく、アロマオイル、香水などの芳香性液体であってもよい。このため、別途の香水または芳香剤を備えることなく、スポンジ部６０に含有されているアロマオイルによって香りを供給することができる。
【００８０】
一方、一対のガイド部４０のうち少なくとも一つの自由端部領域には、鋸歯状の切刃４１が形成できる。本実施例では、切刃４１が一対のガイド部４０に全て形成されるものと説明および図示したが、これに限定されず、いずれか一つにのみ形成されてもよい。
【００８１】
切刃４１は、図３に示すようにジグザグ状の刃形状としてもよく、図４に示すように一字状の刃形状としてもよい。
【００８２】
このような切刃４１は、切断ケーシング３０と同一の材質からなり、一体に射出成形されてもよい。
【００８３】
ところが、切刃４１は、切断ケーシング３０とは異なる材質からなり、切刃４１の成形の際にインサート射出成形されてもよい。
【００８４】
切断ケーシング３０には、外部から液体を注入する第１液体注入口８０ａが設けられてもよい。
【００８５】
ここで、本体ケーシング１０には、第１液体注入口８０ａに対応する領域に第２液体注入口８０ｂが設けられていることが好ましい。
【００８６】
このため、スポンジ部６０が乾燥する場合、使用者は注射器などの注入部材５を用いて第１液体注入口８０ａおよび第２液体注入口８０ｂを介してスポンジ部６０へ液体を供給することができる。
【００８７】
本実施例では、切断ケーシング３０の内部に液体を注入する構造として、第１液体注入口８０ａおよび第２液体注入口８０ｂを説明および図示した。ところが、これに限定されず、切断ケーシング３０の板面に、内部を開放することが可能なキャップまたは栓を設置することにより、液体を注入することが可能な構造にしてもよい。
【００８８】
この場合、使用者はキャップまたは栓を外して切断ケーシング３０の内部に液体を注入することができる。
【００８９】
一方、本体ケーシング１０に対して、湿式カット部２０は着脱可能に設けられてもよい。
【００９０】
本体ケーシング１０の説明で詳述したように、排出部１５を有する第１本体ケーシング１０ａの内面には、湿式カット部２０が装着される装着部７０が設けられている。このような装着部７０には、湿式カット部２０が嵌合される。
【００９１】
このように湿式カット部２０を本体ケーシング１０に対して着脱可能に結合することにより、使用者が湿式カット部２０を本体ケーシング１０から分離して液体を充填することができる。
【００９２】
本実施例では湿式カット部２０が回転軸１３の軸方向に装着部７０に嵌合されるものと示したが、湿式カット部２０がトイレットペーパー３の回転方向に沿って嵌合されるように装着部７０が設けられてもよい。
【００９３】
また、湿式カット部２０は、本体ケーシング１０に対してフック結合で結合されてもよく、両面テープまたはベルクロ（登録商標）などの接着手段によって結合されてもよい。
【００９４】
本実施例では湿式カット部２０が排出部１５の両側に一対設けられるものと示したが、湿式カット部が排出部１５の一側にのみ設けられてもよい。
【００９５】
本考案の実施例の一例として、トイレットペーパー３を供給するディスペンサー１を説明および図示したが、これに限定されない。本考案は、ハンドタオルなどのロールタイプの使い捨て紙製品を供給する多様な種類のディスペンサーに適用できる。
【００９６】
以下に図７および図８を参照しながら、本実施例に係るディスペンサー１の作動過程について詳細に説明する。
【００９７】
図７および図８は、本考案の第１実施例に係るディスペンサー１の作動過程を示す作動状態断面図である。
【００９８】
まず、図７に示すように、スポンジ部６０には液体が充分に充填されており、本体ケーシング１０の内部にはトイレットペーパー３が収容されている。
【００９９】
ここで、使用者が排出部１５を介して外部に露出しているトイレットペーパー３を柔らかく引っ張ると、トイレットペーパー３が回転軸１３を中心に回転しながら繰り出される。
【０１００】
その次に、使用者が使用しようとする長さだけトイレットペーパー３を引き出した後、切断ケーシング３０の方向に引っ張ると、使用者の加圧力によってトイレットペーパー３の板面が第２スポンジ６０ｂに接触する。
【０１０１】
その結果として、図８に示すように、一対のガイド部４０の間に配置された第２スポンジ６０ｂに含まれている液体が一対の切刃４１の間からトイレットペーパー３へ供給される。
【０１０２】
ここで、液体の供給を受けたトイレットペーパー３は、強度が弱くなって容易に切断される。
【０１０３】
また、液体の供給を受けたトイレットペーパー３の周囲領域が切刃４１によって加圧されるので、使用者はさらに少ない力でも容易にトイレットペーパー３を切断することができる。
【０１０４】
一方、持続的に使用中にスポンジ部６０が乾燥する場合、使用者は注射器などの注入部材５を用いて第１液体注入口８０ａおよび第２液体注入口８０ｂを介してスポンジ部６０へ液体を供給することができる。
【０１０５】
また、湿式カット部２０が本体ケーシング１０に対して着脱可能に結合され、切断ケーシング３０が分離可能に設けられるので、使用者は湿式カット部２０を本体ケーシング１０から分離して液体を充填することもできる。
【０１０６】
以上説明したように、本考案によれば、トイレットペーパー３の切断しようとする領域に液体を供給する湿式カット部２０を設けることにより、より少ない力でもトイレットペーパー３を容易に切断することが可能なディスペンサー１を提供することができる。
【０１０７】
（第２実施例）
以下、本考案の第２実施例に係るディスペンサーについて説明する。
【０１０８】
図９は、本考案の第２実施例に係るディスペンサー１の正面構成を示す正面図、図１０は、本考案の第２実施例に係るディスペンサー１の構成を分解して示す分解斜視図、図１１は、図１０の弾性供給部２００の構成を分解して示す分解斜視図である。
【０１０９】
図示の如く、本実施例に係るディスペンサー１は、紙製品Ｔを収容する本体ケーシング１００と、本体ケーシング１００の内側に結合されてワイヤー２３１の引っ張りによって紙製品Ｔが自動で供給されるようにする弾性供給部２００と、を含んでなる。
【０１１０】
本体ケーシング１００は、図１０に示すように、互いに結合する第１ケーシング１１０および第２ケーシング１２０から構成される。
【０１１１】
第１ケーシング１１０は、前方開口を有する筒状をし、内部に紙製品Ｔが収容され、第２ケーシング１２０は、第１ケーシング１１０に結合して第１ケーシング１１０の前方開口を遮断し、弾性供給部２００が結合される。
【０１１２】
第１ケーシング１１０には、回転軸１１５を回転可能に支持する支持リブ１１１と、一端部は支持リブ１１１に、他端部は弾性供給部２００の駆動軸２２０に結合され、紙製品Ｔの中空軸Ｔａを収容する回転軸１１５と、を含む。
【０１１３】
また、第１ケーシング１１０の下部領域には紙製品Ｔを排出するための排出部１３０が設けられ、排出部１３０の両側には紙製品Ｔを切断する切刃１４０が設けられる。排出部１３０を介して排出される紙製品Ｔが床に落ちないように、紙製品Ｔを内部に収容する製品収容部１５０が備えられる。
【０１１４】
支持リブ１１１は、第１ケーシング１１０の内側板面から突出して回転軸１１５を回転可能に支持する。
【０１１５】
支持リブ１１１は、回転軸１１５のリブ収容孔１１５ａに収容される。回転軸１１５は、駆動軸２２０に結合されて駆動軸２２０の回転方向に沿って第１ケーシング１１０内で回転する。
【０１１６】
回転軸１１５は、紙製品Ｔの中空軸Ｔａに挿入されて回転軸１１５の回転に伴って紙製品Ｔも回転し、紙製品Ｔが排出部１３０を介して供給されるようにする。
【０１１７】
回転軸１１５の一端部には、支持リブ１１１を収容するリブ収容孔１１５ａが設けられ、回転軸の他端部には、駆動軸２２０に嵌合される駆動軸収容孔１１５ｂが設けられる。
【０１１８】
切刃１４０は、排出部１３０の両側に設けられ、排出部１３０を介して排出される紙製品Ｔを使用者が加圧して切断することができるようにする。
【０１１９】
製品収容部１５０は、排出部１３０の下側に設けられ、排出部１３０の一部領域を包む。
【０１２０】
製品収容部１５０は、排出部１３０の下部領域を密閉してワイヤー２３１によって自動で一定の長さが供給される紙製品Ｔが床に落ちないように内部に収容する。
【０１２１】
製品収容部１５０は、第１ケーシング１１０と一体に設けられるか、或いは第１ケーシング１１０に対して着脱可能に結合されてもよい。
【０１２２】
第２ケーシング１２０は、第１ケーシング１１０の前方開口を遮断して密閉する。第２ケーシング１２０には、弾性供給部２００が結合される。
【０１２３】
第２ケーシング１２０には、弾性供給部２００のワイヤー２３１を第２ケーシング１２０の外側に露出させるワイヤー排出孔１２１が設けられる。ワイヤー２３１は、ワイヤー排出孔１２１を介して第２ケーシング１２０の下部領域に一定の長さだけ露出される。これにより、使用者はワイヤーを引っ張ることができる。
【０１２４】
弾性供給部２００は、図１０および図１１に示すように、第２ケーシング１２０に結合して使用者がワイヤー２３１を引っ張る力に応じて回転軸１１５が回転し、紙製品Ｔが排出部１３０を介して自動で所望の長さだけ供給されるようにする。
【０１２５】
弾性供給部２００は、第２ケーシング１２０内に収容される供給部ケーシング２１０と、供給部ケーシング２１０内に回転軸１１５と結合されるように配置される駆動軸２２０と、駆動軸２２０に対して一定の長さが離間するように配置され、弾性部材２３３が結合される弾性部材駆動軸２３０と、弾性部材駆動軸２３０に結合される弾性部材２３３およびワイヤー２３１と、弾性部材駆動軸２３０の回転を駆動軸２２０へ伝達する伝動ギア２２１、２２３、２３７およびクラッチギア２３５と、を含んでなる。
【０１２６】
供給部ケーシング２１０は、互いに結合する前面ケーシング２１１および後面ケーシング２１３を含む。
【０１２７】
駆動軸２２０は、前面ケーシング２１１および後面ケーシング２１３に回転可能に結合され、前面ケーシング２１１を貫通して回転軸１１５に固定結合される。駆動軸２２０上には第２伝動ギア２２１が結合され、弾性部材駆動軸２３０の回転力を駆動軸２２０へ伝達する。
【０１２８】
弾性部材駆動軸２３０は、駆動軸２２０に対して一定の距離を離間するように設けられ、軸方向中央部に弾性部材２３３が巻き取られ、一端部にはワイヤー２３１が巻き取られる。
【０１２９】
弾性部材駆動軸２３０は、前面ケーシング２１１および後面ケーシング２１３に対して回転可能に結合される。弾性部材２３３は、弾性部材駆動軸２３０上に結合される。
【０１３０】
この際、弾性部材２３３の内側端部２３３ａは、弾性部材駆動軸２３０の弾性部材結合溝２３０ｂに収容されて弾性部材駆動軸２３０に固定結合される。
【０１３１】
弾性部材２３３の外側端部２３３ｂは、後面ケーシング２１３に固定結合される。弾性部材２３３は、ぜんまいバネの形をして弾性部材駆動軸２３０上に数回巻き取られる。
【０１３２】
ワイヤー２３１は、後面ケーシング２１３を介して外側に突出した弾性部材駆動軸２３０上に巻き取られる。
【０１３３】
この際、弾性部材駆動軸２３０の端部には、ワイヤー支持板２３２が結合される。
【０１３４】
ワイヤー支持板２３２は、Ｕ字状の外周面に設けられ、ワイヤー２３１が弾性部材駆動軸２３０上に一定の厚さで巻き取られるように支持する。
【０１３５】
弾性部材駆動軸２３０には、ギア列２３０ａが軸方向に沿って設けられ、ワイヤー支持板２３２の中空軸には、ギア溝２３２ａが設けられて互いに固定結合される。
【０１３６】
したがって、使用者がワイヤー２３１を下方に引っ張ると、ワイヤー支持板２３２と共に弾性部材駆動軸２３０も一体に回転する。
【０１３７】
弾性部材駆動軸２３０には、クラッチギア２３５が設けられる。クラッチギア２３５は動力の伝達を断続する軸継ぎ手装置であって、軸と軸とを接続または遮断することに用いられる。
【０１３８】
ここで、クラッチギア２３５は、使用者がワイヤー２３１を下方に引っ張る方向に弾性部材駆動軸２３０が回転するときは回転力が駆動軸２２０へ伝達されるようにし、ワイヤー２３１が上方に上昇する方向に弾性部材駆動軸２３０が回転するときは回転力が駆動軸２２０へ伝達されないようにする。
【０１３９】
クラッチギア２３５は、第１伝動ギア２３７の内側ギア２３７ｂに噛み合って一方向の伝動機能を有する。
【０１４０】
第１伝動ギア２３７は、弾性部材駆動軸２３０上に結合されて弾性部材駆動軸２３０の回転力を第２伝動ギア２２１へ伝達する。
【０１４１】
第１伝動ギア２３７は、外周縁に設けられた外側ギア２３７ａと、内周面に設けられた内側ギア２３７ｂと、から形成される。
【０１４２】
外側ギア２３７ａは、弾性部材駆動軸２３０の回転の際に第３伝動ギア２２３の下部ギア２２３ａに噛み合って回転力を伝達する。
【０１４３】
内側ギア２３７ｂは、クラッチギア２３５に噛み合って、ワイヤー２３１が下降する方向に弾性部材駆動軸２３０が回転するときにのみ回転力が第２伝動ギア２２１へ伝達されるようにする。
【０１４４】
第３伝動ギア２２３は、第１伝動ギア２３７と第２伝動ギア２２１との間に設けられ、弾性部材駆動軸２３０の回転力を駆動軸２２０へ伝達する。
【０１４５】
第３伝動ギア２２３は、前面ケーシング２１１および後面ケーシング２１３に回転可能に結合された第３伝動ギア支持軸２２４上に結合される。
【０１４６】
第３伝動ギア２２３は、同軸上に設けられた下部ギア２２３ａおよび上部ギア２２３ｂを含む。下部ギア２２３ａは第１伝動ギア２３７に噛み合い、上部ギア２２３ｂは第２伝動ギア２２１に噛み合う。
【０１４７】
以下、このような構成を持つ本考案に係るディスペンサー１の紙製品Ｔの供給過程を図１２および図１３を参照して説明する。
【０１４８】
前記紙製品Ｔが必要な使用者は、本体ケーシング１００の下部領域に露出しているワイヤー２３１に力を加えて下方に引っ張る。
【０１４９】
ワイヤー２３１が引っ張られると、ワイヤー２３１が繰り出される方向に弾性部材駆動軸２３０が回転する。
【０１５０】
ワイヤー２３１が繰り出される方向に弾性部材駆動軸２３０が回転すると、弾性部材駆動軸２３０に固定結合された弾性部材２３３は、初期状態より弾性部材駆動軸２３０上に巻かれる方向に回転する。
【０１５１】
これと同時に、前記弾性部材駆動軸２３０に固定結合されたクラッチギア２３５が共に回転し、外側の第１伝動ギア２３７と噛み合ってこれを回転させる。
【０１５２】
第１伝動ギア２３７の回転に伴い、第３伝動ギア２２３の下部ギア２２３ａおよび上部ギア２２３ｂが共に回転する。
【０１５３】
上部ギア２２３ｂに噛み合っている第２伝動ギア２２１が回転すると、駆動軸２２０が回転する。
【０１５４】
駆動軸２２０の回転によって、紙製品Ｔが結合されている回転軸１１５が回転する。回転軸１１５の回転によって紙製品Ｔが繰り出されて排出部１３０を介して供給される。排出部１３０を介して供給された紙製品Ｔは、製品収容部１５０の内部に収容される。
【０１５５】
ここで、使用者は、必要な紙製品Ｔの長さに合わせてワイヤー２３１を数回引っ張る。必要な長さの紙製品Ｔが製品収容部１５０内に収容されると、紙製品Ｔを切刃１４０に加圧して切断する。
【０１５６】
一方、使用者からの外力が解除されると、弾性部材２３３は、初期状態に復帰するために、弾性部材２３３が繰り出される方向、すなわちワイヤー２３１が上方に上昇する方向に弾性的に回転する。
【０１５７】
これにより、弾性部材駆動軸２３０およびこれと一体に結合されるクラッチギア２３５は共に回転するが、この際には、前記クラッチギア２３５と一方向の伝動関係にある第１伝動ギア２３７は回転しない。
【０１５８】
以上に説明したように、本考案に係るディスペンサーは、使用者が必要な長さだけワイヤーを引っ張ると、弾性部材の弾性力によって回転軸が回転して紙製品Ｔが排出部を介して供給される。これにより、使用者の利便性を向上させることができる。
【０１５９】
一方、図１４は、本考案の第２実施例に係るディスペンサーの変形例を示す正面図である。本変形例に係るディスペンサー１は、排出部１３０において紙製品Ｔのカット領域に液体を供給する湿式カット部２０を含む。
【０１６０】
湿式カット部２０は、スポンジ６０、切断ケーシング３０および切断ガイド４０などを含み、これについては前記第１実施例の場合と同様なので、ここでは具体的な説明を省略する。
【０１６１】
本変形例に係るディスペンサー１によれば、紙製品がワイヤーによって自動で一定の長さが供給されて製品収容部１５０に収容されると、使用者は切断しようとする領域を湿式カット部２０の切断ガイド４０と接触させる。
【０１６２】
これにより、切断ガイド４０に接触した紙製品Ｔは、瞬時に切断される。
【０１６３】
また、本変形例において、本体ケーシング１００には、下側の排出部１３０内に排出ガイド１６０が設けられる。
【０１６４】
排出ガイド１６０は、前記駆動軸２２０の回転によって供給される紙製品Ｔを案内して排出部１３０を介して円滑に排出されるようにする。
【０１６５】
さらに、前記排出ガイド１６０は、駆動軸２２０の過度な回転速度により紙製品Ｔが下側の排出部１３０に落下せずに、巻かれた状態で右側に巻き上がる現象を防止する。
【０１６６】
一方、図１５は、本考案の第２実施例に係るディスペンサーの他の変形例であって、ディスペンサー１に表示装置４００が備えられた構成を示す斜視図である。
【０１６７】
本変形例において、本体ケーシング１００の前面に取り付けられる表示装置４００は、使用者に宣伝文句またはデザインを認識させて広告効果を高めることができるように備えられる。
【０１６８】
図１６は、図１５のディスペンサー１における表示装置４００の構成を分解して示す分解斜視図である。
【０１６９】
表示装置４００は、文字、模様または広告が表示される標識パネル４２０と、標識パネル４２０の前面に取り付けられ、光を通過および反射させる液晶パネル４３０と、液晶パネル４３０に電源を供給するための電源供給部４１０と、から構成される。
【０１７０】
ここで、電源供給部４１０は、太陽電池である。
【０１７１】
液晶パネル４３０は、標識パネル４２０の前面に一定のサイズに区分されるように複数のセクター４３１から構成される。液晶パネル４３０の前面には、液晶パネル４３０を保護し且つ光を偏光させる偏光フィルム４３２が貼り付けられる。
【０１７２】
また、表示装置４００の上側面には、一定の広さで貫通した太陽電池装着部４１２が設けられる。太陽電池装着部４１２には、前記液晶パネル４３０に電源を供給する太陽電池４１０が装着される。
【０１７３】
太陽電池４１０は、自然光または照明装置から放出する光エネルギーを電気エネルギーに変換させる装置であって、液晶パネル４３０が駆動されるように電源を供給する。
【０１７４】
すなわち、太陽電池４１０で生成された電気エネルギーは、液晶パネル４３０に連結された基板４１１上の制御チップによって制御される。
【０１７５】
これにより、液晶パネル４３０は、一定の間隔で形成されたセクター４３１ごとに順次点滅するように構成され、使用者に標識４２１を鮮明に認識させる。
【０１７６】
また、液晶パネル４３０および標識パネル４２０は、太陽電池４１０のみで作動するため、半永久的かつ環境調和的に使用することができる。
【０１７７】
このため、太陽電池４１０を利用することにより、バッテリーなどの取替え作業を行わなくてもよいという利点がある。
【０１７８】
一方、前記表示装置４００は、図１７に示したメモボード５００で代替されてもよい。
【０１７９】
メモボード５００は、宣伝文句またはデザインが表示されるように備えられる。
【０１８０】
具体的には、本体ケーシング１００に装着されるメモボード５００は、図１８に示すように、宣伝文句またはデザインが表示された透明メモ板５１０と、前記透明メモ板５１０の一端部に固着され、透明メモ板５１０へ光を発する照明装置部５２０と、前記照明装置部５２０に電源を供給するための電源供給部５３０と、前記電源供給部５３０から印加される電流の流れを制御する電源供給スイッチ５４０と、から構成される。
【０１８１】
ここで、透明メモ板５１０は、所定の厚さを有するアクリル樹脂などの透明な合成樹脂または透明のガラスからなる。
【０１８２】
透明メモ板５１０の下端部には照明装置部５２０が固定されるように結合され、照明装置部５２０の内部にはＬＥＤ(Light Emitting Diode)が設置されて、電源供給スイッチ５４０による点灯の際に上部の透明メモ板５１０を照らすことができるように構成される。
【０１８３】
照明装置部５２０は後面に電源供給部５３０を備え、前記電源供給部５３０にはＬＥＤの電源として使用される多数のバッテリー５３１が収納される。
【０１８４】
また、照明装置部５２０の後面には、バッテリー５３１が収容される収容空間部５３２および前記収容空間部５３２を覆うためのカバー５３３が設置できる。
【０１８５】
これにより、前記メモボード５００は、使用上の利便性のために、前記電源供給スイッチ５４０を常に「ＯＮ」状態に維持することができ、暗所でも宣伝文句またはデザインを容易に識別することができる。
【０１８６】
上述した本考案のディスペンサーに対する実施例およびその変形例は、例示的なものに過ぎず、本考案の属する技術分野における通常の知識を有する者であれば、これから多様な変形および均等な他の実施が可能であることを理解するであろう。
【０１８７】
よって、本考案は、上述した詳細な説明で言及される形態に限定されるものではない。
【０１８８】
本考案の真正な技術的保護範囲は、実用新案登録請求の範囲の技術的思想によって定められるべきである。また、本考案は、請求の範囲によって定義される本考案の精神とその範囲内にある全ての変形物、均等物および代替物を含むものと理解されるべきである。
【符号の説明】
【０１８９】
１  ディスペンサー、１０  本体ケーシング、１３  回転軸、１５  排出部、２０  湿式カット部、３０  切断ケーシング、３１  液体排出口、３３  スポンジ収容空間、４０  ガイド部、４１  切刃、６０  スポンジ部、６０ａ  第１スポンジ、６０ｂ  第２スポンジ、８０ａ  第１液体注入口、８０ｂ  第２液体注入口、１４０  切刃、１５０  製品収容部、１６０  排出ガイド、２００  弾性供給部、２２０  駆動軸、２２１  第２伝動ギア、２２３  第３伝動ギア、２３０  弾性部材駆動軸、２３１  ワイヤー、２３３  ぜんまいバネ（弾性部材）、２３５  クラッチギア、２３７  第１伝動ギア、４００  表示装置、４１０  電源供給部、４２０  標識パネル、４３０  液晶パネル、４３２  偏光フィルム、５００  メモボード、５１０  透明メモ板、５２０  照明装置部、５４０  電源供給スイッチ、Ｔ  紙製品
【図１】
0003177666.tif 000003
【図２】
0003177666.tif 000004
【図３】
0003177666.tif 000005
【図４】
0003177666.tif 000006
【図５】
0003177666.tif 000007
【図６】
0003177666.tif 000008
【図７】
0003177666.tif 000009
【図８】
0003177666.tif 000010
【図９】
0003177666.tif 000011
【図１０】
0003177666.tif 000012
【図１１】
0003177666.tif 000013
【図１２】
0003177666.tif 000014
【図１３】
0003177666.tif 000015
【図１４】
0003177666.tif 000016
【図１５】
0003177666.tif 000017
【図１６】
0003177666.tif 000018
【図１７】
0003177666.tif 000019
【図１８】
0003177666.tif 000020